(57)【要約】【課題】    夏、人工芝は多くの熱を吸収し表面温度が高くなり、その上にいる人間にも熱負担が大きく、時には熱中症を引き起こすこともある。この人工芝の表面温度を下げる素材を提供する。【解決手段】  基布の表裏何れか一面に、アルミホイル等輻射熱に対して高反射率の素材を取り付ける。【選択図】図１
2018127873.tif 000002
【特許請求の範囲】
【請求項１】
アルミホイル等輻射熱に対して高反射率の素材を、パイルが植設された基布の地表側に接着や縫合等により取り付けた遮熱人工芝
【請求項２】
不織布や樹脂シートの片面或いは両面に、アルミホイル等輻射熱に対して高反射率の素材を取り付けた遮熱材を、アルミホイル等輻射熱に対して高反射率の素材が、パイルが植設された基布面の地表側に接着や縫合等により取り付けた遮熱人工芝
【請求項３】
地表側から衝撃吸収層、アルミホイル等輻射熱に対して高反射率の素材、パイルが植設された基布の順に積層された構造である遮熱人工芝
【請求項４】
基布の大気側に、アルミホイル等輻射熱に対して高反射率の素材、更に着色顔料及びＵＶ剤等を混合した高透過脂層を順に積層された遮熱人工芝
【請求項５】
不織布や樹脂シート、アルミホイル等輻射熱に対して高反射率の素材、更に着色顔料及びＵＶ剤等を混合した高透過脂層の順に積層された遮熱材を、基布面の大気側に取り付けた遮熱人工芝
【請求項６】
不織布や樹脂シートの片面或いは両面にアルミホイル等輻射熱に対して高反射率の素材を取り付け、更にその外側に着色顔料及びＵＶ剤等を混合した高透過脂層を施したパイルを、基布に植設した遮熱人工芝
【請求項７】
高透過樹脂層、アルミホイル等輻射熱に対して高反射率の素材、不織布や樹脂シート或いは基布には、表裏を貫通する排水孔が設けられている請求項１から請求項６の遮熱人工芝
【発明の詳細な説明】
【技術分野】
【０００１】  本発明は、人工芝の遮熱性を高め、夏でも表面温度が低下する様にした遮熱人工芝を提供するものである。
【背景技術】
【０００２】  パイルの表面に反射塗料を施し太陽光を反射させ、パイルの温度を低下する方法が施工されている。【０００３】  パイル素材に反射材を混錬させたパイルを使用した人工芝が使用されている。
【発明の概要】
【発明が解決しようとしている課題】
【０００４】  その為次のような問題があった。
人工芝は公園やグランド等屋外で使用されていることが多いが、基布やパイルを構成する素材が樹脂系のため太陽光を反射する性能は低い。このため、夏の暑い日には表面温度が非常に高温になり、その上を利用する人間に暑さを感じさせるばかりか、時には熱中症の原因にもなる可能性がある。
人工芝の温度を低下させる方法として、パイルの表面に太陽光を阻止する反射塗料を塗布しているものがある。しかし、これらの塗料は塗膜が薄いと反射率が低く十分な温度低下を実現できないばかりか、劣化速度も速く前記の様な問題を解決するには至らない。
【０００５】  太陽光を効率よく反射させるには、太陽光が反射材に直接照射され、反射材表面で反射することが好ましい。
この様な目的で、基布やパイルに使用する樹脂に、セラミック等の反射材を混錬させたものもある。しかし、反射材が樹脂表面に出ている割合は非常に少なく、大半は樹脂フィルム内部に点在している。即ち、反射材の大半が樹脂に包まれているため、十分な反射性能を引き出すことは難しい。従って、この方法も十分な温度低下は得られない。
本発明は、これらの問題を解決する為になされたものである。
【課題を解決するための手段】
【０００６】  アルミホイル等輻射熱に対して高反射率の素材を、パイルが植設された基布の地表側に接着や縫合等により取り付けた遮熱人工芝である。
【０００７】  不織布や樹脂シートの片面或いは両面に、アルミホイル等輻射熱に対して高反射率の素材を取り付けた遮熱材を、アルミホイル等輻射熱に対して高反射率の素材が、パイルが植設された基布面の地表側に接着や縫合等により取り付けた遮熱人工芝である。
【０００８】  地表側から衝撃吸収層、アルミホイル等輻射熱に対して高反射率の素材、パイルが植設された基布の順に積層された構造である遮熱人工芝である。
【０００９】  基布の大気側に、アルミホイル等輻射熱に対して高反射率の素材、更に着色顔料及びＵＶ剤等を混合した高透過脂層を順に積層された遮熱人工芝である。
【００１０】  不織布や樹脂シート、アルミホイル等輻射熱に対して高反射率の素材更に、着色顔料及びＵＶ剤等を混合した高透過脂層の層からなる遮熱材を、基布の大気側に取り付けた遮熱人工芝である。
【００１１】  不織布や樹脂シートの片面或いは両面にアルミホイル等輻射熱に対して高反射率の素材を取り付け、更にその外側に着色顔料及びＵＶ剤等を混合した高透過脂層を施したパイルを基布に植設した遮熱人工芝である。
【００１２】  高透過樹脂層、アルミホイル等輻射熱に対して高反射率の素材、不織布や樹脂シート或いは基布には、表裏を貫通する排水孔が設けられている遮熱人工芝である。
【図面の簡単な説明】
【００１３】
【図１】アルミホイル等輻射熱に対して高反射率の素材を、基布の地表側に取り付けた断面図
【図２】不織布或いは樹脂シートの片面にアルミホイル等輻射熱に対して高反射率の素材を取り付けた遮熱材を、基布の地表側に取り付けた断面図
【図３】地表から、衝撃吸収層、アルミホイル等輻射熱に対して高反射率の素材、パイルが植設された基布の順に積層された断面図
【図４】アルミホイル等輻射熱に対して高反射率の素材を、基布の大気側に取り付けた断面図
【図５】パイルに、アルミホイル等輻射熱に対して高反射率の素材を使用した断面図
【発明を実施するための形態】
【００１４】  以下本発明を実施するための最良の形態について説明する。
大気を透過してきた太陽光の内、地表にて熱を多く発生するのは紫外線、可視光線、赤外線の領域の輻射熱である。
これらの輻射熱は、地表の物質に照射されるとその一部はそのまま反射し、再び宇宙に向かって放射される。一方、地表の物質に吸収された輻射熱は熱に変わり、再び輻射熱、伝導熱、対流熱の形態をとって大気に伝達される。
【００１５】  輻射熱を効率良く反射させるには、金、銀等貴金属が効果的ではあることは知られているが価格が高く利用するには至っていない。又、輻射熱を効率よく反射せるこれらの素材は、当然のことながら可視光線も同様に反射させ、人間や動物等の目を傷めるのでそのままの状態で使用する事が出来ない。
仮に、可視光線の反射を抑えるため、反射材の表面にフィルムや塗装を施工すると、今度は施工材が輻射熱を吸収して熱となってしまうので、反射性能を引き出すことは出来ない。
従って、これら反射率の高い金属の素材を人工芝に使用する事はこれまで出来なかった。
【００１６】  本発明は、比較的パイル１長が短くしかも密度が低い人工芝に対しては、基布２の大気側或いは地表側での輻射熱の反射工法で表面の温度低下をさせるものである。
又、パイル１長の長いものや密度が高いものに対しては、パイル素材で輻射熱を反射させることにより、表面温度の低下を図っているものである。
【００１７】  本発明は、アルミホイル等輻射熱に対して高反射率の素材４を、パイル１が植設された基布２の地表側に接着や縫合等により取付た遮熱人工芝を提案する。
【００１８】  これらの人工芝は、基布２にパイル１を植設する際、基布２の地表側にパイル１を植設した凸部９が形成される。本発明は、基布２の地表側にアルミホイル等輻射熱に対して高反射率の素材４を取り付けると、この凸部９のみがアルミホイル等輻射熱に対して高反射率の素材４に点接触し、他は空間３を形成することになる。即ち、輻射熱の反射空間３が出来る構造となる。
【００１９】  アルミホイル等輻射熱に対して高反射率の素材４を、基布２の地表側に施工した場合の熱移動のメカニズムを説明する。
太陽からの輻射熱は基布２に照射されると一部は反射するが、大半は吸収されて熱となる。この吸収された熱は、熱は熱い方から冷たい方に移動の原則に基づき、大気側から伝導熱として地表側に伝達される。基布２の地表側には、パイル１を植設された時にできた僅かな凸部９があり他は空間３となっている。
基布２の地表側に伝達された伝導熱の殆どは、基布２の地表側表面から輻射熱として地表にあるアルミホイル等輻射熱に対して高反射率の素材４に向かって放射されるが、アルミホイル等輻射熱に対して高反射率の素材４の表面にて殆どが反射されて基布２に再び戻される。すると、今度は基布２の地表側から大気側に伝導熱として移動し、その後基布２の表面から伝導熱、対流熱、輻射熱の形態をとって大気に伝達される。
勿論、基布２の地表側からは伝導熱としてアルミホイル等輻射熱に対して高反射率の素材４に、更には地表へと伝達されるが、気温が低下すると大気側に熱移動しやがて大気に伝達される。
【００２０】  本提案は、輻射熱の反射機能を利用した構造であるが、アルミホイル等輻射熱に対して高反射率の素材４の表面には殆ど接触するものが無く反射空間３となっているので高い遮熱効果を生み出すことが可能で有る。
しかし、せっかく良い環境にあっても、施工法を間違える十分な性能を引き出すことが出来なくなる。
その例として接着剤にて取り付ける場合、アルミホイル等輻射熱に対して高反射率の素材４の表面全体に接着剤を塗布しその上に凸部９のある基布２をおいて接着するのではなく、基布２の凸部９にのみ接着剤を塗布しアルミホイル等輻射熱に対して高反射率の素材４に接着するのが好ましい。これは、アルミホイル等輻射熱に対して高反射率の素材４の表面に接着材等が付着すると、接着剤自体が輻射熱を吸収し輻射熱の反射効率が大幅に低下する為である。
出来れば、基布２とアルミホイル等輻射熱に対して高反射率の素材４とは接着剤を使用しない縫合等により一体化するのが好ましい。
【００２１】  本発明は、不織布や樹脂シート５の片面或いは両面に、アルミホイル等輻射熱に対して高反射率の素材４を取り付けた遮熱材を、アルミホイル等輻射熱に対して高反射率の素材４が、パイル１が植設された基布２の地表側に接着や縫合等により取り付けた遮熱人工芝をも提案する。
【００２２】  基本的には前述の考え方と全く同じであるが、アルミホイル等輻射熱に対して高反射率の素材４を基布２の地表側に接着や縫合等により取り付ける場合、アルミホイル等輻射熱に対して高反射率の素材４だけでは厚みが薄くて製造時の作業性が悪い場合もある。不織布や樹脂シート５を補強材とした遮熱材とすることにより、作業性の向上を図ったものである。
この場合も、遮熱材のアルミホイル等輻射熱に対して高反射率の素材４は、基布２の地表側に位置する様にしなければならない。
【００２３】  本発明は、地表側から衝撃吸収層７、アルミホイル等輻射熱に対して高反射率の素材４、パイル１が植設された基布２の順に積層された構造である遮熱人工芝をも提案する。
【００２４】  競技場等に使用される場合、スポーツ選手は相当の勢いで動くので膝関節等には多くの力が加わり。選手のケガや故障の原因となる。一般的には、基布２の表面にゴムチップや珪砂等を敷き詰め衝撃を和らげている。
本提案は、これら衝撃を和らげる衝撃吸収層７を、パイル１を植設した基布２の下側に設けたものである。
前述同様、アルミホイル等輻射熱に対して高反射率の素材４が基布２の地表側に空間を設けて取り付けられる事になり、人工芝の表面温度を大幅に低下できるばかりでなく、競技者の大きな衝撃も吸収できる人工芝をつくることができる。
【００２５】  アルミホイル等輻射熱に対して高反射率の素材４は、反射率をあげる為純度９９．５パーセント位のものを使用するのが一般的である。この位の純度であると、輻射熱に対する反射率は９５パーセント以上にはなるが、本発明では９８パーセントのものを使用している。
素材は金属製で、厚みは５〜１０ミクロン位のものが一般的である。
この提案では、アルミホイル等輻射熱に対して高反射率の素材４が基布２の地表側にある間接反射である為、輻射熱の反射により人間や動物等の目を傷める心配もない。従って、アルミホイル等輻射熱に対して高反射率の素材４は素地そのままの使用できるので、反射性能も高くしかもコストも安価に出来るメリットがある。
【００２６】  本発明は、不織布や樹脂シート５、アルミホイル等輻射熱に対して高反射率の素材４、更には着色顔料及びＵＶ剤等を混合した高透過脂層６の順に積層した遮熱材を、基布２の大気側に取り付けた遮熱人工芝をも提案する。
【００２７】  この提案は、輻射熱に対する反射面が大気側にある直接反射方式で、可視光線が人間や動物の目を傷める原因となる。そこで、輻射熱の反射面で有るアルミホイル等輻射熱に対して高反射率の素材４の表面に、着色顔料及びＵＶ剤等を混合した高透過樹脂層６を施工し、この面にて可視光線を散乱させることでこの問題に対応している。
又、高透過樹脂層６は、アルミホイル等輻射熱に対して高反射率の素材４に薄い皮膜を形成する事により、大気中にある酸やアルカリ成分等による腐食を防止する役割もある。
ただ、高透過樹脂層６には着色顔料及びＵＶ剤が混錬されているので、輻射熱に対する反射率は若干低下する。しかし、使用する色にもよるが概ね８０パーセント以上の反射率にはすることが可能で有る。
【００２８】  基布２の大気側にアルミホイル等輻射熱に対して高反射率の素材４を取り付ける場合は、パイル１を植設する前に基布２にアルミホイル等輻射熱に対して高反射率の素材４を接着或いは縫合等により取り付けておかなければならない。
【００２９】  本発明は、不織布や樹脂シート５の片面或いは両面にアルミホイル等輻射熱に対して高反射率の素材４を取り付け、更にその外側に着色顔料及びＵＶ剤等を混合した高透過脂層６を施したパイル１を基布２に植設した遮熱人工芝をも提案する。
【００３０】  本発明は、パイル１の長い人工芝にアルミホイル等輻射熱に対して高反射率の素材４を使用したものである。
パイル１が長いと、輻射熱は基布２まで届かず殆どはパイル１に吸収され人工芝は熱くなってしまう。
そこで、パイル１自体にアルミホイル等輻射熱に対して高反射率の素材４を使用する事により、輻射熱をパイル１表面で反射させ反射性能を極端に高めた人工芝とするものである。
【００３１】  アルミホイル等輻射熱に対して高反射率の素材４は金属製で有るので、繰り返しの曲げには弱く、パイル１の様な柔軟性のある素材に使用する事は極めて難しい。
そこで、芯材に不織布や樹脂シート５を使用し、その外側の片面或いは両面に極めて薄いアルミホイル等輻射熱に対して高反射率の素材４を接着或いは溶着し、更にその外側に着色顔料及びＵＶ剤等を混合した高透過樹脂層６を施したシートを作り、このシートを裁断してパイル１としたものである。
ここで使用するアルミホイル等輻射熱に対して高反射率の素材４は、薄いほど破損しにくくなる。
着色顔料及びＵＶ剤等を混合した高透過樹脂層６は、パイル１の表面で輻射熱を乱反射させるものであるが、反射性も高くするためには膜厚を薄くすることが望ましい。
【００３２】  本発明は、高透過樹脂層６、アルミホイル等輻射熱に対して高反射率の素材４、不織布や樹脂シート５或いは基布２には、表裏を貫通する排水孔８が設けられている遮熱人工芝をも提案する。
【００３３】  高透過樹脂層６、アルミホイル等輻射熱に対して高反射率の素材４、不織布や樹脂シート５或いは基布２には、雨水を排出する孔がないので雨や雪が降ると水がたまる問題がある。本提案は、これらのシートの表裏を貫通する排水孔８を設ける事によりこの問題を解決した。
【発明の効果】
【００３４】  パイル１長の短いものはグランド等には不向きであるが、高速道路や河川の法面等余り荷重の掛からないところに使用すると常時緑色の景観を作る事が出来る。しかも、アルミホイル等輻射熱に対して高反射の素材４を使用するので、殆ど草が生える事が無く、通年実施されている除草費用はほぼ不要となる。
【００３５】  パイル１が植設された基布２の下側に衝撃吸収層を設ける事で、競技者の膝や関節の障害を防止することが出来、しかも人工芝表面の温度も低下する。
【００３６】  パイル１長の長いものはあらゆる環境に使用でき、体感温度を大幅に低下させることが出来る。
【符号の説明】
【００３７】１パイル
２基布
３空間
４アルミホイル等輻射熱に対して高反射率の素材
５不織布或いは樹脂シート
６高透過樹脂層
７衝撃吸収層
８排水孔
９凸部
【図１】
2018127873.tif 000003
【図２】
2018127873.tif 000004
【図３】
2018127873.tif 000005
【図４】
2018127873.tif 000006
【図５】
2018127873.tif 000007